(57)【要約】【課題】リンクダウン転送方法に関し、パケットトランスポート網において、リンク障害検出時に、対向するユーザの接続装置にリンクダウンを伝達することを可能にする。【解決手段】パケットトランスポート網のネットワークエレメント（ＮＥ＃１，＃４）に接続された接続装置（ＳＷ＃１，＃２）間にポイントツーポイントの転送パスが与えられ、ネットワークエレメント（ＮＥ＃１，＃４）では、転送パスのリンク障害の発生又は復旧を検出したとき、リンクダウン転送の有無情報を格納した保守運用管理フレームを生成し、該保守運用管理フレームを、対向するネットワークエレメントに送信する。該保守運用管理フレームを受信した、対向するネットワークエレメントは、リンクダウン転送の有無情報に従って、接続装置とのリンクのシャットダウンを実施又は該シャットダウンを解除する。【選択図】図１
2012010020.tif 000002
【特許請求の範囲】
【請求項１】
パケットトランスポート網のネットワークエレメントにユーザネットワークインタフェース（ＵＮＩ）で接続された第１及び第２の接続装置の間にポイントツーポイントの転送パスを与えるパケットトランスポート網におけるリンクダウン転送方法であって、
前記第１又は第２の接続装置と接続された前記ネットワークエレメントで、前記転送パスのリンク障害の発生又は復旧を検出したとき、リンクダウン転送の有無情報を格納した保守運用管理フレームを生成し、該保守運用管理フレームを、前記転送パスの対向するネットワークエレメントに送信するステップと、
前記リンクダウン転送の有無情報を格納した保守運用管理フレームを受信した、前記第１又は第２の接続装置と接続されたネットワークエレメントは、該リンクダウン転送の有無情報に従って、接続装置とのリンクのシャットダウンを実施又は該シャットダウンを解除するステップと、
を含むことを特徴とするリンクダウン転送方法。
【請求項２】
前記パケットトランスポート網内のリンク障害に対して行われる、該パケットトランスポート網内の冗長パスの切替えに要する時間の保護時間の経過後に、前記接続装置とのリンクのシャットダウンを実施するステップを含むことを特徴とする請求項１に記載のリンクダウン転送方法。
【請求項３】
前記保守運用管理フレームとして、ＭＰＬＳ−ＴＰ（Multi-Protocol Label Switching-Transport Profile）におけるＶＳＭ（Vendor specific OAM message）フレームを用い、前記リンクダウン転送の有無情報を格納するフィールドを、該ＶＳＭフレームのＶＳＭデータ内に生成することを特徴とする請求項１に記載のリンクダウン転送方法。
【請求項４】
前記リンクダウン転送の有無情報を格納した保守運用管理フレームを所定の周期で定期的に送信し、前記転送パスのリンク障害の発生検出時及びリンク障害復旧検出時には、即時に該保守運用管理フレームを送信することを特徴とする請求項１に記載のリンクダウン転送方法。
【請求項５】
前記転送パスのリンク障害の復旧を検出したときに送信される、リンクダウン転送無しの情報を格納した保守運用管理フレームを１回受信したとき、又は転送パスのリンク障害の発生を検出したときに送信されるリンクダウン転送有りの情報を格納した保守運用管理フレームを前記周期の少なくとも２周期分の期間受信しないとき、接続装置とのリンクのシャットダウンを解除することを特徴とする請求項４に記載のリンクダウン転送方法。
【発明の詳細な説明】
【技術分野】
【０００１】
本発明は、リンクダウン転送方法に関する。本発明は、ＭＰＬＳ−ＴＰ（Multi-Protocol Label Switching-Transport Profile）方式に代表されるパケットトランスポート網において、対向する通信装置にリンクダウンの状態を伝達するリンクダウン転送方法に関する。
【背景技術】
【０００２】
近年、ネットワークのＩＰ（Internet Protocol）化・イーサネット（登録商標）化など、パケット・ベースのネットワーク化に伴い、従来のレガシー系通信網（Ｅｔｈｅｒ  Ｏｖｅｒ  Ｓｏｎｅｔ／ＳＤＨ等）からパケットトランスポート網へ移行することにより、ネットワークの収容効率を向上させ、低コストで既存サービスの継続を実現することが求められている。
【０００３】
従来のレガシー系通信網からパケットトランスポート網への移行を実現するに当たり、従来のレガシー系通信網が有する高い信頼性（キャリアグレード）を維持することが要求される。そのため、パケット転送方式の一つであるＭＰＬＳ−ＴＰ方式では、伝達レイヤを独立した階層として取り扱い、また、保守運用管理（ＯＡＭ：Operation Administration Maintenance）機能を装備することなどにより、保守運用管理の性能の向上を図る方向で標準化が進められている。
【０００４】
一方、レガシー系通信網では、保守運用管理の機能の一つとして、ＴＤＭ（Time Division Multiplexing）網等において、ＶＣＡＴ（Virtual concatenation，ITU-T G.707）及びＧＦＰ（Generic Frame Procedure，ITU-T G.7041/Y.1303）に勧告されている技術を組み合わせて使用するリンクダウン転送機能が知られている。
【０００５】
リンクダウン転送機能について図９を参照して説明する。９において、ユーザの接続装置（ＳＷ＃１）９−１，（ＳＷ＃２）９−６は、イーサネット（登録商標）インタフェース（以下、イーサインタフェースと称する）により、それぞれネットワークエレメント（ＮＥ＃１）９−２，（ＮＥ＃４）９−５に接続されている。
【０００６】
ネットワークエレメント（ＮＥ＃１）９−２，（ＮＥ＃４）９−５は、他のネットワークエレメント（ＮＥ＃２）９−３，（ＮＥ＃３）９−４と共にパケットトランスポート網９−７を構成し、イーサインタフェースで接続された接続装置（ＳＷ＃１）９−１，（ＳＷ＃２）９−６に対して、ポイントツーポイントのイーサネット（登録商標）トランスポートの転送パスを提供する。
【０００７】
（１）このようなネットワーク形態において、上述の転送パスを提供するネットワークエレメント（ＮＥ＃１）９−２，（ＮＥ＃４）９−５の一方、例えばネットワークエレメント（ＮＥ＃１）９−２に、イーサインタフェースのリンクダウン（リンク障害）が発生したとする。
【０００８】
（２）この場合、ネットワークエレメント（ＮＥ＃１）９−２では、イーサインタフェースのリンクダウン発生を検出すると、リンクダウン発生情報を、当該転送パスの対向接続装置（ＳＷ＃２）とイーサインタフェースで接続されたネットワークエレメント（ＮＥ＃４）９−５に転送する。
【０００９】
（３）ネットワークエレメント（ＮＥ＃４）９−５は、ネットワークエレメント（ＮＥ＃１）９−２からのリンクダウン発生情報を受信すると、能動的に接続装置（ＳＷ＃２）９−６とのイーサインタフェースを切断（シャットダウン）する。
【００１０】
このような機能はリンクダウン転送機能と称され、リンクダウン転送機能を備えることにより、ユーザの接続装置（ＳＷ＃１）９−１，（ＳＷ＃２）９−６から見ると、ネットワークエレメント（ＮＥ＃１）９−２〜（ＮＥ＃４）９−５によるパケットトランスポート網９−７は、あたかも一本の物理リンクであるかのように見える。
【００１１】
（４）対向する接続装置（ＳＷ＃１）９−１，（ＳＷ＃２）９−６の間に、パケットトランスポート網９−７の伝送経路のほかに、別のバックアップルート９−８が準備されている場合、リンクダウン転送機能により、接続装置（ＳＷ＃１）９−１，（ＳＷ＃２）９−６は、伝送経路をバックアップルート９−８へ直ちに切替える。リンクダウン転送機能により、ホットスタンバイ系の伝送経路更新における信号疎通断時間を短縮することができる。
【００１２】
ＭＰＬＳ−ＴＰ方式によるパケットトランスポート網の標準化の動向については、下記の非特許文献１等に記載されている。イーサネット（登録商標）ＯＡＭで定義されているフレームについては、例えば下記の特許文献１等に記載されている。また、リンクダウン転送機能については、例えば下記の特許文献２〜４等に記載されている。
【先行技術文献】
【非特許文献】
【００１３】
【非特許文献１】小池良典、村上誠著、「ＩＴＵ−Ｔにおけるパケットトランスポートの標準化動向」、ＮＴＴ技術ジャーナル（２００９．５）ｐ．４３〜４６
【特許文献】
【００１４】
【特許文献１】特開２００９−２７８４５１号公報
【特許文献２】特開２００６−３３９９５６号公報
【特許文献３】特開２００６−３２５００２号公報
【特許文献４】再表２００４／０４０８５４号公報
【発明の概要】
【発明が解決しようとする課題】
【００１５】
パケットトランスポート網において、ユーザネットワークインタフェース（ＵＮＩ：User Network Interface）にイーサインタフェースが使用されている接続形態において、保守運用性向上の一手段としてリンクダウンを対向装置側へ伝達するリンクダウン転送機能の実現が強く求められている。
【００１６】
本発明は、イーサインタフェースでユーザの接続装置に接続され、パケットトランスポート網を構成するネットワークエレメント（ＮＥ）において、イーサインタフェースのリンク断又は中継区間のリンク断検出時に、対向するユーザの接続装置に接続されたネットワークエレメントに、リンクダウンをパケットトランスポート網内で伝達することを可能にする。
【課題を解決するための手段】
【００１７】
本発明のリンクダウン転送方法は、パケットトランスポート網のネットワークエレメントにユーザネットワークインタフェース（ＵＮＩ）で接続された第１及び第２の接続装置の間にポイントツーポイントの転送パスを与えるパケットトランスポート網におけるリンクダウン転送方法であって、前記第１又は第２の接続装置と接続された前記ネットワークエレメントで、前記転送パスのリンク障害の発生又は復旧を検出したとき、リンクダウン転送の有無情報を格納した保守運用管理フレームを生成し、該保守運用管理フレームを、前記転送パスの対向するネットワークエレメントに送信するステップと、前記リンクダウン転送の有無情報を格納した保守運用管理フレームを受信した、前記第１又は第２の接続装置と接続されたネットワークエレメントは、該リンクダウン転送の有無情報に従って、接続装置とのリンクのシャットダウンを実施又は該シャットダウンを解除するステップと、を含むものである。
【発明の効果】
【００１８】
本発明によれば、パケットトランスポート網を介し、ユーザネットワークインタフェース（ＵＮＩ）で接続されたユーザの接続装置間で、ユーザネットワークインタフェース（ＵＮＩ）のリンク障害によるリンクダウンを、パケットトランスポート網内で即時に対向する接続装置に伝達するリンクダウン転送機能を実現することができる。
【図面の簡単な説明】
【００１９】
【図１】リンクダウン転送が適用されるパケットトランスポート網の一例を示す図である。
【図２】パスプロテクション構成時のリンクダウン転送動作例を示す図である。
【図３】ＶＳＭフレームフォーマットの一例を示す図である。
【図４】イーサインタフェースのリンクダウン時の動作例を示す図である。
【図５】中継区間の片側リンク障害時のリンクダウン転送の動作例を示す図である。
【図６】中継区間の両側リンク障害時のリンクダウン転送の動作例を示す図である。
【図７】中継区間の両側リンク障害の回復時のリンクダウン解除の動作例を示す図である。
【図８】中継区間の両側リンク障害の回復時のリンクダウン解除の動作シーケンス例を示す図である。
【図９】リンクダウン転送機能の説明図である。
【発明を実施するための形態】
【００２０】
［１］リングダウン情報の転送
本発明によるリンクダウン転送の動作の概要を、図１を参照して説明する。図１は一例として、パケットトランスポート網がリング状にネットワークエレメント（ＮＥ＃１）〜（ＮＥ＃６）により構成され、ネットワークエレメント（ＮＥ＃１）とネットワークエレメント（ＮＥ＃４）とに、イーサインタフェース回路Ａ，Ｂで第１及び第２の接続装置（ＳＷ＃１，ＳＷ＃２）が接続された接続形態を示している。
【００２１】
パスの保守運用管理（ＯＡＭ）の情報伝達のため、ネットワークエレメント（ＮＥ＃１）及びネットワークエレメント（ＮＥ＃４）には、それぞれ図１中、▼で示す保守端点（ＭＥＰ：Maintenance Entity Group End Point）を事前に配置した転送パスがネットワークエレメント（ＮＥ＃１）とネットワークエレメント（ＮＥ＃４）との間に構築されているものとする。
【００２２】
ネットワークエレメント（ＮＥ＃１）又はネットワークエレメント（ＮＥ＃４）のうちの一方のイーサインタフェースにおけるリンク障害の状態変化（リンクダウン発生／回復）は、伝達手段としてＭＰＬＳ−ＴＰにおけるＶＳＭ（Vendor specific OAM message ; ITU-T Y.1731に定義されたベンダー固有のＯＡＭ）フレームを用いて、主信号伝送路を介して対向のイーサインタフェースに転送する（図中、≪１≫，≪２≫）。このとき、パケットトランスポート網で現用系パスと予備系パスとが設定されるパスプロテクションが構成されている場合には、現用系／予備系の両方のパスに対してＶＳＭフレームを送信する。
【００２３】
また、ネットワークエレメント（ＮＥ＃１）とネットワークエレメント（ＮＥ＃４）との間の中継区間でのリンク障害の状態変化（リンク断／回復）は、伝達手段として、パス連続性チェック（Path-Continuity Check）による警報状態、又はセクション連続性チェック（Section-Continuity Check）による連続性喪失（ＬＯＣ）の検出により挿入されるパス警報表示信号（Path-AIS：Path Alarm Indication Signal）を用い、主信号伝送路を介して転送する。該パス警報表示信号（Path-AIS）は保守端点（ＭＥＰ）で終端され、保守端点（ＭＥＰ）は、対向側のイーサインタフェースに向けて、リンク障害の状態を示すＶＳＭフレームを送信する。
【００２４】
リンクダウン転送機能により、リンク障害情報の通知を受けた対向側のネットワークエレメントでは、以下の実施条件でシャットダウン制御を行う。
（１）ネットワークエレメント（ＮＥ＃１）のイーサインタフェース≪１≫のリンクダウンを検出した場合、ネットワークエレメント（ＮＥ＃４）のイーサインタフェース≪２≫をシャットダウンする。
【００２５】
（２）ネットワークエレメント（ＮＥ＃４）のイーサインタフェース≪２≫のリンクダウンを検出した場合、ネットワークエレメント（ＮＥ＃１）のイーサインタフェース≪１≫をシャットダウンする。
（３）パケットトランスポート網内の中継区間<1>〜<12>のリンク障害を含むＡ−Ｂ間の中継パスにリンク障害を検出した場合、イーサインタフェース≪１≫及び≪２≫をシャットダウンする。
【００２６】
上述のシャットダウン制御の実施条件（１）及び（２）のイーサインタフェース障害によるシャットダウン制御を実施するため、以下のように動作する。リンクダウン発生検出時は、リンクダウン障害有りを示すＶＳＭフレームを転送する。該リンクダウン障害有りを示すＶＳＭフレームは、ＶＳＭフレームのオプション領域にＣＳＦ（Client Signal Fail）データフィールドを設け、該ＣＳＦデータフィールドに“１”を設定する構成とすることができる。
【００２７】
ＶＳＭフレームの受信時は、所定の保護時間の経過後にイーサインタフェースに対してシャットダウン制御を実施する。パスプロテクションが構成されている場合には、送信側は現用系／予備系の両方のパスに対してＶＳＭフレームを送信し、受信側は現用系パスで受信されたＶＳＭフレームをチェックする。
【００２８】
上述のシャットダウン制御の実施条件（３）の中継区間<1>〜<12>のリンク障害によるシャットダウンを実施するため、以下のように動作する。パケット転送の連続性確認（ＣＣＭ）関連警報の受信時又はパス警報表示信号（Path-AISの）受信時に、所定の保護時間の経過後に、イーサインタフェースのシャットダウン制御を実施する。
【００２９】
図２にパスプロテクション構成時のリンクダウン転送動作例を示す。図２において、現用系パスを実線で表し、予備系パスを破線で表している。図２に示すように、パスプロテクションが構成されている場合は、受信側で選択している現用系パスの中継パスに対して、上述の実施条件（３）が発生した場合、保護時間経過した後に、シャットダウン制御を実施する。予備系パスの中継パスの障害時には、シャットダウン制御を行わない。
【００３０】
［２］リンクダウン転送の条件
リンクダウン転送を行う対象となる障害として、
（１）ユーザネットワークインタフェース（ＵＮＩ）側のイーサインタフェース障害と、（２）ネットワークネットワークインタフェース（ＮＮＩ）側の中継区間障害と
があり、以下の障害の論理和（ＯＲ）をリンクダウン転送の起動条件とする。
【００３１】
イーサインタフェース障害の一例を以下の表１に示す。
【表１】
2012010020.tif 000003
【００３２】
中継区間障害の一例を以下の表２に示す。
【表２】
2012010020.tif 000004
【００３３】
表２において、ａ〜ｅはパス連続性確認（ＣＣＭ）によって検出された障害である。
ａのＬｏｓｓ  ｏｆ  Ｃｏｎｔｉｎｕｉｔｙは連続性喪失、
ｂのＵｎｅｘｐｅｃｔｅｄ  ＭＥＧ  Ｌｅｖｅｌは期待するＭＥＧレベルとの不一致、
ｃのＭｉｓｍｅｒｇｅは期待するＭＥＧ識別情報との不一致、
ｄのＵｎｅｘｐｅｃｔｅｄ  ＭＥＰは期待するＭＥＰ識別情報との不一致、
ｅのＵｎｅｘｐｅｃｔｅｄ  Ｐｅｒｉｏｄは期待する送信周期との不一致、
ｆのＡＩＳはセクション連続性確認（ＣＣＭ）の連続性喪失（ＬＯＣ）により障害が検出され、ネットワークエレメント（ＮＥ）が生成した警報である。
【００３４】
［３］ＶＳＭフレーム
リンクダウン転送の伝達手段としてＭＰＬＳ−ＴＰのＶＳＭフレームを使用する。該ＶＳＭフレームは、図１又は図２に▼で示す予め配置された保守端点（ＭＥＰ）間の転送パスで送受される。図３にＶＳＭフレームフォーマットの一例を示す。このフレームフォーマットに含まれるＯＵＩ（Organizationally Unique Identifier）フィールドの設定値が予め決めておいた固有値（独自コード）と一致したフレームが保守端点（ＭＥＰ）で終端される。
【００３５】
ＶＳＭフレームのＶＳＭデータ内に、リンクダウン障害転送の有無を示すＣＳＦ（Client Signal Fail）データフィールドを設け、該ＣＳＦデータフィールドとＳｕｂＯｐＣｏｄｅフィールドとを用いて、リンクダウン障害状態を通知する構成とすることができる。
【００３６】
一例として、ＳｕｂＯｐＣｏｄｅフィールドに“１”、ＣＳＦデータフィールド“１”を設定したとき、“リンクダウン転送有り”、ＳｕｂＯｐＣｏｄｅフィールドに“１”、ＣＳＦデータフィールド“０”を設定したとき、“リンクダウン転送無し”を表すこととすることができる。
【００３７】
ＶＳＭフレームが転送パスの途中で欠落することがあるため、対向する保守端点（ＭＥＰ）でリンク障害情報が確実に受信されるよう、ＶＳＭフレームの送信側の保守端点（ＭＥＰ）では、ＶＳＭフレームを定期的に送信する。ＶＳＭフレームの定期送信の送信間隔は、ＶＳＭフレームの定期送信部のハードウェア又はソフトウェアの構成や、リンクダウン転送時間に要求される精度により変動要素となるが、一例として１秒間の間隔の定期送信とすることができる。
【００３８】
但し、リンクダウン転送を行う条件となる障害（表１又は表２の何れかの障害）の発生タイミング、及び障害解除（表１及び表２の全ての障害の解除）のタイミングでは、定期送信の送信周期とは関係なく、即時にＣＳＦデータフィールドを更新してＶＳＭフレームを送信する。
【００３９】
また、ネットワークネットワークインタフェース（ＮＮＩ）の中継区間側から、リンク障害有りを示すＶＳＭフレーム（ＣＳＦデータ“１”）を受信している場合は、閉ループによる無限ループ転送を防止するため、ユーザネットワークインタフェース（ＵＮＩ）側のイーサインタフェースがリンクダウン状態であっても、逆方向の中継ネットワークネットワークインタフェース（ＮＮＩ）側には、リンク障害有りを示すＶＳＭフレーム（ＣＳＦデータ“１”）を送信しない。
【００４０】
ＶＳＭフレームの受信側保守端点（ＭＥＰ）では、ＶＳＭフレームの受信正常性をＦＣＳ（Frame Check Sequence）情報や各フィールド値（ＳｕｂＯｐＣｏｄｅ及びＣＳＦデータフィールドの値を除く）を元にチェックし、異常の場合は該ＶＳＭフレーム廃棄処理とし、正常の場合は、その後、ＳｕｂＯｐＣｏｄｅ及びＣＳＦデータフィールドの値から、リンクダウン障害の有無を判定する。
【００４１】
リンクダウン障害の有無の判定条件として、ＣＳＦデータフィールド“１”のＶＳＭフレームを１回受信した場合、リンク障害ありと判定し、ＣＳＦデータフィールド“０”のＶＳＭフレームを１回受信した場合、リンク障害解除と判定する構成とすることができる。
【００４２】
或いは、リンク障害解除の判定条件として、ＣＳＦデータフィールド“１”のＶＳＭフレームを、送信周期×ｎ（ｎ≧２の整数）の期間受信しない場合とすることができる。これは、転送パスの途中で障害回復の情報を示すＶＳＭフレームが欠落することに対する対応手段とすることができる。
【００４３】
［４］シャットダウン制御
リンクダウン状態を通知するＶＳＭフレームの転送を受けた保守端点のネットワークエレメントは、シャットダウン制御を実施する。但し、ＭＰＬＳ−ＴＰ方式によるパケットトランスポート網における冗長パスの切り替えは、ユーザの接続装置（ＳＷ＃１），（ＳＷ＃２）におけるパケットレベルの経路切り替えに比べて高速であるため、ＭＰＬＳ−ＴＰ方式によるパケットトランスポート網内の冗長パスの切り替えによる救済手段の発動時には、シャットダウン制御は行わないことが望ましい。
【００４４】
従って、ＶＳＭフレーム受信時又は表２のａ〜ｆの何れか障害要因の検出時からシャットダウン制御を実施するまでに、パケットトランスポート網における冗長パスの切り替えに要する時間を超えるシャットダウン保護時間を設ける。該シャットダウン保護時間は、冗長パスの切り替え時間に応じ、可変設定とすることが望ましい。該シャットダウン保護時間は、一例として０〜３秒の間で設定可変な構成とすることができる。
【００４５】
パケットトランスポート網内のリンク障害に関して、シャットダウン保護時間以内に瞬時に切り替え動作が可能なパケットパス冗長機能を具備することによりリンク障害の救済が可能な場合には、リンクダウン転送が動作せず、そうでない場合は、リンクダウン転送によりバックアップルートへ切り替えることが可能となり、信号疎通断時間を最小限に抑えることが可能となる。
【００４６】
一方、リンク障害復旧時のシャットダウン状態の擾乱回避のため、ＶＳＭフレームによるリンク障害の解除検出又は表２のａ〜ｆの障害要因全ての警報回復からシャットダウン解除を実施するまでにも保護時間を設ける。このシャットダウン解除保護時間は、一例として０〜３秒の間で設定可変な構成とすることができる。
【００４７】
［５］ＶＳＭフレーム再送信保護
リンク障害復旧時にシャットダウンの解除を実施した後は、イーサインタフェースでリンクアップするまでの間は、リンク障害としてＶＳＭフレーム送信動作（再送信）が起動しないよう、ＶＳＭフレームの送信に保護時間を設ける。ＶＳＭフレーム送信保護時間は、イーサインタフェースでオートネゴシエーションが完了するのに十分な時間とし、一例として０．３秒とすることができる。
【実施例】
【００４８】
図４にイーサインタフェースのリンクダウン時の動作例を示す。この動作例は、イーサインタフェースのリンクダウン時に、ＶＳＭフレームのＣＳＦデータフィールドに“１”を設定し、対向イーサインタフェースにリンクダウンを転送する動作例である。
【００４９】
リンクダウン転送の動作を以下に説明する。
（１）ネットワークエレメント（ＮＥ＃１）において、イーサインタフェースの障害を検出する。
（２）ネットワークエレメント（ＮＥ＃１）は、イーサインタフェースの障害を検出すると、ＶＳＭフレーム（ＣＳＦデータフィールド“１”）を生成して送信する。
（３）ネットワークエレメント（ＮＥ＃２），（ＮＥ＃３）は、該ＶＳＭフレームを透過する。
【００５０】
（４）ネットワークエレメント（ＮＥ＃４）において、ＶＳＭフレーム（ＣＳＦデータフィールド“１”）を受信する。
（５）ＶＳＭフレーム（ＣＳＦデータフィールド“１”）を受信したネットワークエレメント（ＮＥ＃４）は、シャットダウン保護時間経過後、対象となるイーサインタフェースのポートをシャットダウンする。
【００５１】
（６）ネットワークエレメント（ＮＥ＃４）は、接続装置（ＳＷ＃２）とのイーサインタフェースリンクを切断するため、接続装置（ＳＷ＃２）とのイーサインタフェースのリンクダウンを検出する。しかし、既に上流側からＶＳＭフレームを受信したネットワークエレメント（ＮＥ＃４）は、ＶＳＭフレームの無限ループ転送を防止するために、上流側のネットワークエレメント（ＮＥ＃１）側にはＶＳＭフレームの送信は行わない。
【００５２】
図５に中継区間の片側リンク障害時のリンクダウン転送の動作例を示す。該リンクダウン転送の動作を以下に説明する。
（１）ネットワークエレメント（ＮＥ＃２）からネットワークエレメント（ＮＥ＃３）へのリンクに障害が発生したとすると、ネットワークエレメント（ＮＥ＃３）は、連続性喪失（ＬＯＣ：Loss of Continuity）検出する。
【００５３】
（２）ネットワークエレメント（ＮＥ＃３）は、連続性喪失（ＬＯＣ）を検出したことにより、各パスに対しパス警報表示信号（Ｐａｔｈ-ＡＩＳ：Path Alarm Indication Signal）を下流側（ネットワークエレメント（ＮＥ＃４）側）に送出する。また、ネットワークエレメント（ＮＥ＃３）は、上流側へ遠隔障害表示（ＲＤＩ：Remote Defect Indication）信号を転送する。
（３）ネットワークエレメント（ＮＥ＃４）は、パス警報表示信号（Ｐａｔｈ−ＡＩＳ）又はパス連続性喪失（Ｐａｔｈ−ＬＯＣ）を検出する。
【００５４】
（４）保守端点のネットワークエレメント（ＮＥ＃４）は、パス警報表示信号（Ｐａｔｈ−ＡＩＳ）又はパス連続性喪失（Ｐａｔｈ−ＬＯＣ）を検出すると、ＶＳＭフレームを作成し、ネットワークエレメント（ＮＥ＃１）へ該ＶＳＭフレームを送信する。
（５）ネットワークエレメント（ＮＥ＃１）で該ＶＳＭフレームを検出する。
【００５５】
（６）ネットワークエレメント（ＮＥ＃４）は、パス警報表示信号（Ｐａｔｈ−ＡＩＳ）又はパス連続性喪失（Ｐａｔｈ−ＬＯＣ）を検出したことにより、シャットダウン保護時間経過後、対象となるパスのイーサインタフェースのポートをシャットダウンする。また、対向するネットワークエレメント（ＮＥ＃１）においても同様に、ＶＳＭフレームの検出によりシャットダウン保護時間経過後、対象パスのイーサインタフェースのポートのシャットダウンを実施する。
【００５６】
（７）ネットワークエレメント（ＮＥ＃１）では、接続装置（ＳＷ＃１）とのリンクを切断するため、該接続装置（ＳＷ＃１）とのイーサインタフェースのリンクダウンを検出する。しかし、既にＶＳＭフレームを受信したネットワークエレメント（ＮＥ＃１）は、ＶＳＭフレームの無限ループ転送の発生を防止するために、ネットワークエレメント（ＮＥ＃４）へはＶＳＭフレームの送信を行わない。
【００５７】
図６に中継区間の両側リンク障害時のリンクダウン転送の動作例を示す。該リンクダウン転送の動作を以下に説明する。
（１）ネットワークエレメント（ＮＥ＃２）とネットワークエレメント（ＮＥ＃３）との間の両方向のリンクに障害が発生したとすると、ネットワークエレメント（ＮＥ＃２）及び（ＮＥ＃３）でセクション連続性喪失（ＬＯＣ）を検出する。
【００５８】
（２）ネットワークエレメント（ＮＥ＃２），（ＮＥ＃３）は、セクション連続性喪失（ＬＯＣ）を検出したことにより、各パスの下流側にパス警報表示信号（Ｐａｔｈ−ＡＩＳ）を送出する。また、各パスの上流側に遠隔障害表示（ＲＤＩ）信号を転送する。
（３）ネットワークエレメント（ＮＥ＃１），（ＮＥ＃４）は、パス警報表示信号（Ｐａｔｈ−ＡＩＳ）又はパス連続性喪失（Ｐａｔｈ−ＬＯＣ）を検出する。
【００５９】
（４）ネットワークエレメント（ＮＥ＃１），（ＮＥ＃４）は、パス警報表示信号（Ｐａｔｈ−ＡＩＳ）又はパス連続性喪失（Ｐａｔｈ−ＬＯＣ）を検出したことにより、リンク障害有りを示すＶＳＭフレームを作成し、対向装置側へＶＳＭフレームを送信する。
【００６０】
（５）ネットワークエレメント（ＮＥ＃１），（ＮＥ＃４）は、パス警報表示信号（Ｐａｔｈ−ＡＩＳ）又はパス連続性喪失（Ｐａｔｈ−ＬＯＣ）を検出したことにより、シャットダウン保護時間経過後、対象イーサインタフェースのポートをシャットダウンする。
【００６１】
図７に中継区間の両側リンク障害の回復時のリンクダウン解除の動作例を示す。また、図８に該リンクダウン解除の動作シーケンス例を示す。該リンクダウン解除の動作について以下に説明する。
（１）ネットワークエレメント（ＮＥ＃２）と（ＮＥ＃３）との間で、リンク障害が復旧したものとし、ネットワークエレメント（ＮＥ＃２）及び（ＮＥ＃３）は、セクション連続性喪失（ＬＯＣ）の復旧を検出する。
【００６２】
（２）ネットワークエレメント（ＮＥ＃２）及び（ＮＥ＃３）は、セクション連続性喪失（ＬＯＣ）が復旧したことにより、各パスに対しパス警報表示信号（Ｐａｔｈ−ＡＩＳ）の送出を停止する。また、遠隔障害表示（ＲＤＩ）信号の送出も停止する。
（３）ネットワークエレメント（ＮＥ＃１）及び（ＮＥ＃４）では、パス警報表示信号（Ｐａｔｈ−ＡＩＳ）又はパス連続性喪失（Ｐａｔｈ−ＬＯＣ）の検出が停止する。
【００６３】
（４）パス警報表示信号（Ｐａｔｈ−ＡＩＳ）又はパス連続性喪失（Ｐａｔｈ−ＬＯＣ）の検出が停止したことにより、ネットワークエレメント（ＮＥ＃１）及び（ＮＥ＃４）は、ＶＳＭフレームのＣＳＦデータフィールドに“０”を設定し、“リンクダウン転送無し”を表すＶＳＭフレームを対向装置側へ送信する。該ＶＳＭフレームは、所定の保護時間経過後に送信する。
【００６４】
（５）ネットワークエレメント（ＮＥ＃１）及び（ＮＥ＃４）は、パス警報表示信号（Ｐａｔｈ−ＡＩＳ）又はパス連続性喪失（Ｐａｔｈ−ＬＯＣ）の検出が停止したことにより、シャットダウン解除保護時間経過後、対象イーサインタフェースのポートのシャットダウン解除を実施する。
【００６５】
なお、シャットダウン解除動作時間のバラつきに起因するバタつき動作防止のため、シャットダウン解除動作中、ＶＳＭフレーム送信要因（パス警報表示信号（Ｐａｔｈ−ＡＩＳ）、パス連続性喪失（Ｐａｔｈ−ＬＯＣ）、リンクダウン）によるＶＳＭフレームの再送信を、一定時間（イーサインタフェースでオートネゴシエーションが完了するのに十分な時間、一例として０．３秒）停止して保護する。
【符号の説明】
【００６６】
ＮＥ＃１〜ＮＥ＃６  ネットワークエレメント
ＳＷ＃１，ＳＷ＃２  接続装置
【図１】
2012010020.tif 000005
【図２】
2012010020.tif 000006
【図３】
2012010020.tif 000007
【図４】
2012010020.tif 000008
【図５】
2012010020.tif 000009
【図６】
2012010020.tif 000010
【図７】
2012010020.tif 000011
【図８】
2012010020.tif 000012
【図９】
2012010020.tif 000013